(57)【特許請求の範囲】
【請求項１】
長手部材からなり鍵が収容されたキーカセットと、枢持された扉によって閉塞されこの扉を押し開いて上記キーカセットが挿入される収納部とを有し、上記キーカセットの側面に凹部を設け、上記収納部の内面に上記キーカセットの挿入時上記凹部と係合し、上記キーカセットの取出し時に駆動されて上記係合を解除するピンを設けたものにおいて、上記ピンの一部に形成され上記キーカセットの取出し時の上記ピンの駆動により上記扉内面近傍に位置する停止片を設けたことを特徴とする鍵保管装置の収納機構。
【請求項２】
ピン及び凹部の位置を、収納部内側面の中心線の位置から外れた位置に設定したことを特徴とする請求項１記載の鍵保管箱の収納機構。
【発明の詳細な説明】
【０００１】
【産業上の利用分野】
この発明は鍵保管装置の収納機構、特にキーカセットに収容された鍵を収納する機構に関するものである。
【０００２】
【従来の技術】
図１４〜図１７は、例えば特開平４−２４７１７８号公報に示された従来の鍵保管装置の収納機構を示す図で、図１４は鍵保管装置の斜視図、図１５は収納機構の縦断側面図、図１６はキーカセットの縦断側面図、図１７は図１６のXVII−XVII線断面図である。
【０００３】
図１４において、(1)は鍵保管装置、(2)は溝(2a)に鍵（図示しない）を収容するキーカセット、(3)は複数個配置されそれぞれキーカセット(2)を収納する収納機構、(4)は個人判別（ＩＤ）カードをリードするカードリーダである。
【０００４】
図１５〜図１７において、キーカセット(2)は横断面が正方形の長手部材からなり各側面の中心線上に凹部(2b)〜(2e)が形成されている。(5)は収納機構(3)の前面を形成する表板、(6)は前面（図１５では左端）に開口部を後面（図１５では右端）に底部を有する横断面が正方形（キーカセット(2)に適合）の角筒状に形成された収納部で、開口部側に角穴(6a)が設けられている。(7)は収納部(6)の開口部にばね付きヒンジ(8)により枢着された扉である。
【０００５】
(9)は収納部(6)の底部に設けられキーカセット(2)を押し出す圧縮コイルばねからなる戻しばね、(10)は収納部(6)の開口部側に配置され角穴(6a)から収納部(6)内へ突出又は引退可能に設けられたピン、(11)はピン(10)に結合され付勢されるとピン(10)を引退させるソレノイド、(12)はソレノイド(11)が消勢されるとピン(10)を突出させる圧縮コイルばねからなる復帰ばねである。
【０００６】
従来の鍵保管装置の収納機構は上記のように構成されており、その動作を説明する。キーカセット(2)を収納する場合は、カードリーダ(4)でＩＤカードを操作する。これで、該当する収納機構(2)のソレノイド(11)が付勢され、ピン(10)は引退する。ここで、キーカセット(2)の前端面（図１６では右端面）を扉(7)に当て、ばね付きヒンジ(8)の力に抗して扉(7)を押し開く。これで、キーカセット(2)は収納部(6)に挿入され、収納部(6)内に収納されて行く。
【０００７】
このとき、キーカセット(2)の収納が検知（詳細は省略）されて、ソレノイド(11)が消勢され、ピン(10)は復帰ばね(12)の力で突出力が与えられる。やがて、キーカセット(2)の前端面は戻しばね(9)に当接し、その力に抗してキーカセット(2)を所定位置に押し込むと、ピン(10)が復帰ばね(12)の力で凹部(2b)内に突出して係合し、キーカセット(2)を保持して脱出を阻止する。これで、キーカセット(2)は収納完了となる。
【０００８】
次に、キーカセット(2)を取り出す場合は、カードリーダ(4)でＩＤカードを操作する。これで、収納時に説明したようにピン(10)が引退し、キーカセット(2b)との係合が解除される。このため、戻しばね(9)の力によってキーカセット(2)は収納部(6)から押し出され、キーカセット(2)が取り出せる。なお、凹部(2b)〜(2e)はキーカセット(2)の４側面に形成されているため、キーカセット(2)の挿入時回転状態を考慮しなくてもよい。
【０００９】
【発明が解決しようとする課題】
上記のような従来の鍵保管装置の収納機構では、ピン(10)と凹部(2b)〜(2e)がそれぞれ収納部(6)の内側面の中心線、及びキーカセット(2)の側面の中心線上に配置されているため、キーカセット(2)を前後方向を逆にして挿入すると、キーカセット(2)が収納部(6)から一部突出した状態で、ピン(10)と凹部(2b)〜(2e)が係合してしまうという問題点がある。
【００１０】
また、戻しばね(9)が収納部(2)の内部に設けられているため、収納部(2)の奥行き寸法が長くなる。また、キーカセット(2)が収納されていないときは、扉(7)は自由に開くため、いたずらをされることがある。また、係合解除時戻しばね(9)によってキーカセット(2)を押し出すようにしているため、戻しばね(9)の力のばらつきにより、キーカセット(2)が飛び出し過ぎて落下する等の問題点がある。
【００１１】
この発明は上記問題点を解消するためになされたもので、キーカセットを前後方向を逆にして挿入しても係合を阻止できるようにし、収納部の奥行寸法を短くできるようにし、キーカセットが収納されていないとき扉を開くいたずらを防止できるようにした鍵保管装置の収納機構を提供することを目的とする。
【００１２】
【課題を解決するための手段】
この発明の第１発明に係る鍵保管装置の収納機構は、枢持された扉を有する収納部に、キーカセットの凹部と係合するピンを有し、このピンの一部にキーカセットの取出し時のピンの駆動により扉の内面近傍に位置する停止片を設けたものである。
【００１３】
また、第２発明に係る鍵保管装置の収納装置は、第１発明のものにおいて、ピン及び凹部の位置を、収納部内側面の中心線の位置から外れた位置に設定したものである。
【００１４】
【作用】
この発明の第１発明においては、キーカセットの凹部と係合するピンの一部に停止片を設けて、これをキーカセットの取出し時収納部の扉の内面近傍に位置させたため、キーカセットが収納部に収納されていない状態では、扉の開放は停止片により阻止される。
【００１５】
また、第２発明においては、収納部のピンの位置とキーカセットの凹部の位置を、収納部内側面の中心線の位置から外れた位置に設定し、収納部の外部に設けられたばねによってキーカセットの保持の解除時に、キーカセットを収納部から押し出すようにし、かつピンの一部に停止片を設けて、これをキーカセットの取出し時収納部の扉の内面近傍に位置させたため、キーカセットを前後方向を逆に挿入してもピンと凹部は係合せず、キーカセット内部にはばね収容スペースは不要となり、またキーカセットが収納部に収納されていない状態では、扉の開放は停止片により阻止される。
【００１６】
【実施例】
実施例１．
図１及び図２はこの発明の一実施例を示す図で、図１(A)は収納機構の縦断下面図（図１５を下から見た図に相当）、図１(B)は収納機構の横断面図、図２はキーカセットの下面図であり、従来装置と同様の部分は同一符号で示す（以下の実施例も同じ）。なお、図１４は共用する（以下の実施例も同じ）。
【００１７】
この実施例では、キーカセット(2)、収納部(6)、戻しばね(9)、ピン(10)、ソレノイド(11)、復帰ばね(12)は従来装置と同様であるが、その配置が異なっている。すなわち、ピン(10)、ソレノイド(11)及び復帰ばね(12)は、収納機構の中心線Ａ−Ａの位置から外れた位置に設置されている。また、キーカセット(2)の凹部(2b)も同様に中心線Ａ−Ａの位置から外れた位置に設定されている。
【００１８】
上記のように構成された鍵保管装置の収納機構においては、図１及び図２に示した方向でキーカセット(2)を収納部(6)に挿入すると、凹部(2b)はピン(10)に係合する。しかし、キーカセット(2)を図２の前後方向を逆にして収納部(6)に挿入すると、凹部(2b)はピン(10)に係合せず、戻しばね(9)の力で押し戻され、逆挿入したことを利用者に知らせることができる。
【００１９】
実施例２．
図３はこの発明の他の実施例を示す図で、図２のIII−III線断面相当図である。なお、図１及び図２は実施例２にも共用する。
この実施例は、凹部(2b)〜(2e)を従来装置と同様に、キーカセット(2)の各面に設けたものであり、キーカセット(2)の挿入時、回転状態を考慮しなくてもよい。
【００２０】
実施例３．
図４はこの発明の他の実施例を示す図で、(A)はキーカセットの縦断側面図、(B)は図４(A)のIVＢ−IVＢ線断面図である。なお、図１及び図２は共用する。
この実施例は、キーカセット(2)の横断面を長方形とし、キーカセット(2)の下面と上面にそれぞれ凹部(2d)と凹部(2e)を設けたものである。この場合、キーカセット(2)はその上面と下面を反転させた二つの状態で挿入が可能であり、凹部(2d)(2e)の二つで挿入時の回転状態を考慮しなくてもよいようになる。なお、図示していないが収納部(6)はキーカセット(2)に適合する長方形の筒状に形成されている。
【００２１】
実施例４．
図５及び図６はこの発明の他の実施例を示す図で、図５は収納機構の側面図、図６は図５のVI−VI線断面図である。
図において、(6b)は収納部(6)の両側面に形成された耳部、(6c)は収納部(6)の底部に形成された切欠き部、(15)はコ字状に形成され切欠き部(6c)に配置された保持板、(16)は収納部(6)の両外側に配置され一端が耳部(6b)に、他端が保持板(15)にそれぞれ掛止された引張りコイルばねからなる戻しばねである。
【００２２】
すなわち、キーカセット(2)が収納部(6)に挿入されると、その前端部が保持板(15)に当接する。キーカセット(2)を戻しばね(16)の力に抗して更に押し込むと、既述のようにピン(10)と角穴(6a)による係合が生じて、キーカセット(2)は保持される。キーカセット(2)の取出し時は、同様に戻しばね(16)の力で、キーカセット(2)は収納部(6)から押し出される。戻しばね(16)は収納部(6)の外部に設けられているため、収納部(6)の長さを短くすることが可能である。
【００２３】
実施例４では戻しばね(16)と保持板(15)とは別部材として示したが、両者を一体に構成することも可能である。
【００２４】
実施例５．
図７及び図８はこの発明の第１発明の一実施例を示す図で、図７は収納部の縦断側面図、図８はキーカセット縦断側面図である。
図において、(10a)はピン(10)の一部に形成され、その先端が扉(7)の内面近傍に延在する停止片で、キーカセット(2)にはピン(10)及び停止片(10a)に適合する形状の凹部(2f)が形成されている。
【００２５】
すなわち、キーカセット(2)の収納部(2)への挿入及び収納部(2)からの取出しは既述のとおりであるが、キーカセット(2)が取り出されて扉(7)が閉まっている状態では、停止片(10a)の先端が扉(7)の内面近傍に位置している。このため、いたずら等で扉(7)を押しても扉(7)は停止片(10a)により阻止されて開くことはない。
【００２６】
また、図７に示すように、停止片(10a)の高さはピン(10)よりも低い。そのため、収納部(6)に収納されているキーカセット(2)を取り出すとき、ばね付きヒンジ(8)の力で扉(7)が閉じるが、このとき扉(7)がピン(10)に衝突することはない。
【００２７】
実施例６．
図９はこの発明の第１発明の他の実施例を示すピン部分の要部側面図である。
この実施例はピン(10)の一部に停止片(10b)を形成し、その上端を傾斜面としたものである。このようにしても、実施例５と同様の機能を与えることが可能である。
【００２８】
実施例７．
図１０及び図１１はこの発明の第２発明の一実施例を示す図で、図１０は図６相当図、図１１は図１０のXI−XI線断面図である。なお、図８は実施例７にも共用する。
この実施例は、ピン(10)と凹部(2f)の位置を図１及び図２のように、中心線Ａ−Ａから外れた位置に設定し、戻しばね(16)を図５及び図６のように収納部(6)の外部に配置し、ピン(10)の一部に図７のように停止片(10a)を設けてこれを扉(7)の内面近傍に延在させたものであり、その動作は既述のとおりであるため、詳細な説明は省略する。
【００２９】
実施例８．
図１２及び図１３はこの発明の他の実施例を示す図で、図１２は収納機構の縦断側面図、図１３は平面図である。
この実施例は収納部(6)の上面に穴(6e)を設け、ばね板(19)の一端を収納部(6)の上面に固定し、他端を穴(6e)から収納部(6)の内部に臨ませたものである。
【００３０】
すなわち、キーカセット(2)の収納部(6)への挿入及び収納部(2)からの取出しは既述のとおりであるが、キーカセット(2)が収納部(6)に収納されると、ばね板(19)はキーカセット(2)を上方から押圧する。これで、ソレノイド(11)が付勢されてピン(10)による係合が解除されて、戻しばね(9)によりキーカセット(2)が収納部(6)から押し出されるとき、ばね板(19)の弾性力によりキーカセット(2)の動きが規制され、キーカセット(2)が飛び出して落下することを防止する。
【００３１】
なお、ばね板(19)は収納部(6)の上部に限ることなく、他の部分に設けることも可能である。また、ばね板(19)と収納部(6)を一体に構成することも可能である。
【００３２】
【発明の効果】
この発明の第１発明では、キーカセットの凹部と係合するピンの一部に停止片を設けて、これをキーカセットの取出し時収納部の扉の内面近傍に位置させたので、キーカセットが収納部に収納されていない状態では、扉の開放は停止片により阻止され、いたずら等による扉の開放を防止できる効果がある。
【００３３】
また、第２発明では、収納部のピンの位置とキーカセットの凹部の位置を、収納部内側面の中心線の位置から外れた位置に設定し、収納部の外部に設けられたばねによってキーカセットの保持の解除時に、キーカセットを収納部から押し出すようにし、かつピンの一部に停止片を設けて、これをキーカセットの取出し時収納部の扉の内面近傍に位置させたので、キーカセットを前後方向を逆に挿入してもピンと凹部は係合せず、キーカセット内部にはばね収容スペースは不要となり、またキーカセットが収納部に収納されていない状態では、扉の開放は停止片により阻止され、第１発明の効果と同様の効果がある。
【図面の簡単な説明】
【図１】この発明の実施例１を示す図で、(A)は収納機構の縦断下面図（図１５を下から見た図）、(B)は収納機構の横断面図。
【図２】この発明の実施例１を示すキーカセットの下面図。
【図３】この発明の実施例２を示す図で、図２のIII−III線断面相当図。
【図４】この発明の実施例３を示す図で、(A)はキーカセットの縦断側面図、(B)は図４(A)のIVＢ−IVＢ線断面図。
【図５】この発明の実施例４を示す収納機構の側面図。
【図６】図５のVI−VI線断面図。
【図７】この発明の実施例５を示す収納機構の縦断側面図。
【図８】この発明の実施例５を示すキーカセットの縦断側面図。
【図９】この発明の実施例６を示すピン部分の要部側面図。
【図１０】この発明の実施例７を示す断面図で、図６相当図。
【図１１】図１０のXI−XI線断面図。
【図１２】この発明の実施例８を示す収納機構の縦断側面図。
【図１３】図１２の平面図。
【図１４】従来及びこの発明の鍵保管装置の斜視図。
【図１５】従来の鍵保管装置の収納機構の縦断側面図。
【図１６】従来の鍵保管装置のキーカセットの縦断側面図。
【図１７】図１６のXVII−XVII線断面図。
【符号の説明】
１  鍵保管装置、２  キーカセット、２ｂ〜２ｆ  凹部、３  収納機構、６  収納部、７  扉、９，１６  戻しばね、１０  ピン、１０ａ，１０ｂ  停止片、１１  ソレノイド、１９  ばね板。
【図１】
0003606911.tif 000002
【図２】
0003606911.tif 000003
【図３】
0003606911.tif 000004
【図４】
0003606911.tif 000005
【図５】
0003606911.tif 000006
【図６】
0003606911.tif 000007
【図７】
0003606911.tif 000008
【図８】
0003606911.tif 000009
【図９】
0003606911.tif 000010
【図１０】
0003606911.tif 000011
【図１１】
0003606911.tif 000012
【図１２】
0003606911.tif 000013
【図１３】
0003606911.tif 000014
【図１４】
0003606911.tif 000015
【図１５】
0003606911.tif 000016
【図１６】
0003606911.tif 000017
【図１７】
0003606911.tif 000018